(57)【要約】      （修正有）【課題】コーンブレークアップ現象を軽減し、音質ディストーションを防止できる平面振動膜単体を提供する。【解決手段】薄膜層１０と、第一コイル３１と、第二コイル３２と、第三コイル３３と、第四コイル３４とを備え、第一コイルは薄膜層の第一面の第一側に設置され、第二コイルは薄膜層の第二面の第一側に設置されると共に、第一コイルに電気的に接続され、第三コイルは薄膜層の第一面の第二側に設置されると共に、第二コイルに電気的に接続され、第四コイルは薄膜層の第二面の第二側に設置されると共に、第三コイルに電気的に接続され、第一コイルと第三コイルは、中心線から離間する同一距離の箇所での電流方向が同一であるように配置され、第二コイルと第四コイルも、中心線から離間する同一距離の箇所での電流方向が同一であるように配置される。【選択図】図３
0003221534.tif 000002
【実用新案登録請求の範囲】
【請求項１】
第一面と第二面を有し、且つ中心線を基準に互いに対面する第一側と第二側を有する薄膜層と、
前記薄膜層の前記第一面の前記第一側に設置され、第一接触点を有する第一コイルと、
前記薄膜層の前記第二面の前記第一側に設置され、第一接続点を介して前記第一コイルに電気的に接続される第二コイルと、
前記薄膜層の前記第一面の前記第二側に設置され、第二接続点を介して前記第二コイルに電気的に接続される第三コイルと、
前記薄膜層の前記第二面の前記第二側に設置され、第三接続点を介して前記第三コイルに電気的に接続され、第二接触点を有する第四コイルと、を備え、
前記第一コイルと前記第三コイルは、前記中心線から離間する同一距離の箇所での電流方向が同一であるように配置され、前記第二コイルと前記第四コイルは、前記中心線から離間する同一距離の箇所での電流方向が同一であるように配置される
ことを特徴とする改良された構造を有する平面振動膜単体。
【請求項２】
前記第一コイルと前記第三コイルは、前記中心線に対して対称に配置され、前記第二コイルと前記第四コイルは、前記中心線に対して対称に配置される
ことを特徴とする請求項１に記載の改良された構造を有する平面振動膜単体。
【請求項３】
前記第二コイルは前記第一コイルと重なり、前記第四コイルは前記第三コイルと重なり、前記第二コイルと前記第一コイルの重なる箇所での電流方向は同一であり、前記第四コイルと前記第三コイルの重なる箇所での電流方向は同一である
ことを特徴とする請求項１に記載の改良された構造を有する平面振動膜単体。
【請求項４】
前記第二コイルと前記第四コイルは最小ターン数となるように前記薄膜層の前記第二面に設置される
ことを特徴とする請求項１から３までのいずれか一項に記載の改良された構造を有する平面振動膜単体。
【考案の詳細な説明】
【技術分野】
【０００１】
本考案は、振動膜構造に関し、特に、コーンブレークアップという現象を軽減することができる改良された構造を有する平面振動膜単体に関する。
【背景技術】
【０００２】
異なる構造や発声原理により、発声装置の種類はムービングコイルスピーカ、圧電スピーカ、圧電セラミックスピーカ、及び紙スピーカ等数多くの種類に分かれており、そのうちよく見られるのは周知のムービングコイルスピーカである。ムービングコイルスピーカの仕組みについては、主にエナメル線が円筒状柱の外周に巻装されることでボイスコイルを構成し、ボイスコイルの一端が振動膜の一側に接着されてから磁石の一側に設置されることにより、ムービングコイルスピーカの単体を形成するものである。このように単体で発声する際に、対応するオーディオ電流がエナメルコイルに流れることで、コイルの磁場が電磁誘導により反応して振動膜を振動させ、これにより空気が振動されて発声する。
【０００３】
図１Ａには公知の単体構造が開示されている。図１Ａに示すように、公知の単体構造９の振動膜９１には通常一つのコイル９２しか設置されない。このような公知の単体構造９において、オーディオ電流がコイル９２に流れる際に、コイル９２の中心線９５の両側と、中心線９５から離間する同一距離の箇所での電流方向は異なるため、コーンブレークアップという現象が起こりやすい。より詳しく説明すると、図１Ａに示すように、コイル９２の、中心線９５の右側にある点ａの箇所での電流は図面の下へ流れるものの、コイル９２の、中心線９５の左側にある点ａ’の箇所であって、中心線９５から点ａまでの距離と同一距離の箇所での電流は図面の上へ流れる。図１Ｂは振動膜９１の側面図であり、同図における矢印は振動膜の振動膜方向を微視的に示すものである。図１Ｂに示すように、このような公知のコイル配置では、点ａと点ａ’での電流方向は正反対、即ち、振動膜９１の、点ａと点ａ’での振動方向は微視的に異なるとなるため、公知の単体構造９はコーンブレークアップという現象が起こりやすい上、単体の音質ディストーションが生じてしまう。
【考案の概要】
【考案が解決しようとする課題】
【０００４】
上記のことに鑑み、本考案の目的は、振動膜構造におけるコイルが、その中心線両側における中心線から離間する同一距離の箇所での電流方向が同一であるように配置されることで、コーンブレークアップという現象を軽減することができる改良された構造を有する平面振動膜単体を提供することにある。
【課題を解決するための手段】
【０００５】
上記目的を達するため、本考案は、薄膜層と、第一コイルと、第二コイルと、第三コイルと、第四コイルとを備える改良された構造を有する平面振動膜単体を提供するものである。前記薄膜層は、第一面と第二面を有し、且つ中心線を基準に互いに対面する第一側と第二側を有する。前記第一コイルは、薄膜層の第一面の第一側に設置され、第一接触点を有する。前記第二コイルは、薄膜層の第二面の第一側に設置され、第一接続点を介して第一コイルに電気的に接続される。前記第三コイルは、薄膜層の第一面の第二側に設置され、第二接続点を介して第二コイルに電気的に接続される。前記第四コイルは、薄膜層の第二面の第二側に設置され、第三接続点を介して第三コイルに電気的に接続され、第二接触点を有する。第一コイルと第三コイルは、中心線から離間する同一距離の箇所での電流方向が同一であるように配置され、前記第二コイルと前記第四コイルは、前記中心線から離間する同一距離の箇所での電流方向が同一であるように配置される。
【０００６】
本考案の一実施例において、第一コイルと第三コイルは、中心線に対して対称に配置され、第二コイルと第四コイルは、中心線に対して対称に配置される。
【０００７】
本考案の一実施例において、第二コイルは第一コイルと重なり、第四コイルは第三コイルと重なり、第二コイルと第一コイルの重なる箇所での電流方向は同一であり、第四コイルと第三コイルの重なる箇所での電流方向は同一である。また、第二コイルと第四コイルは最小ターン数となるように薄膜層の第二面に設置される。
【考案の効果】
【０００８】
本考案によると、コーンブレークアップという現象を軽減することができる。
【図面の簡単な説明】
【０００９】
【図１Ａ】公知の単体構造を示す図である。
【図１Ｂ】公知の単体構造の側面図である。
【図２Ａ】本考案の一実施例における改良された構造を有する平面振動膜単体の第一面を平面的に示す図である。
【図２Ｂ】本考案の一実施例における改良された構造を有する平面振動膜単体の第二面を平面的に示す図である。
【図３】本考案の一実施例における改良された構造を有する平面振動膜単体のコイルの電流方向を平面的に示す図である。
【考案を実施するための形態】
【００１０】
以下、図面と符号を参照しながら、本考案を実施するための形態について、当業者が明細書に照らして実施できるよう詳しく説明する。
【００１１】
図２Ａは本考案の改良された構造を有する平面振動膜単体の第一面の平面図であり、図２Ｂは本考案の改良された構造を有する平面振動膜単体の第二面の平面図である。図２Ａと図２Ｂに示すように、本考案の改良された構造を有する平面振動膜単体は、薄膜層１０と、第一コイル３１と、第二コイル３２と、第三コイル３３と、第四コイル３４とを備える。以下、図２Ａと図２Ｂを同時に参照しつつ本考案の改良された構造を有する平面振動膜単体について説明する。
【００１２】
薄膜層１０は単体振動膜の骨子部分であり、第一面１１と第二面１２を有する。便宜上、本考案のコイル配置を説明するため、以下では、薄膜層１０の中心線Ａを基準に、薄膜層１０の第一面１１を互いに対面する第一側１１１及び第二側１１２とし、薄膜層１０の第二面１２を互いに対面する第一側１２１及び第二側１２２とする。この実施例において、薄膜層１０は四角形であり、中心線Ａが四角形の２つの辺の中心点を通過する箇所に位置する。なお、薄膜層１０の形状と中心線の位置はこれに限定されず、薄膜層１０は振動膜に好適な何れの形状であってもよく、中心線は薄膜層を２つの対称部分に分割する他の箇所に位置してもよい。
【００１３】
図２Ａに示すように、第一コイル３１は、薄膜層１０の第一面１１の第一側１１１に設置され、第一接触点２０１を有する。この実施例において、第一接触点２０１は薄膜層１０の第一面１１の第一側１１１の上部に設置される。第一コイル３１は、第一接触点２０１から数ターンに巻線し、薄膜層１０の第一面１１の第一側１１１中央下部の第一接続点２１１を介して、薄膜層１０を穿通してから薄膜層１０の第二面１２の第一側１２１に設置される第二コイル３２に電気的に接続される。
【００１４】
図２Ｂに示すように、第二コイル３２は、薄膜層１０の第二面１２の第一側１２１で第一コイル３１と概ね重なりつつ最小ターン数となるよう配置される。本実施例において、第二コイル３２は、薄膜層１０の第二面１２で１．５ターンに巻線され、第二面１２上部の第二接続点２１２を介して、薄膜層１０を穿通してから薄膜層１０の第一面１１の第二側１１２に設置される第三コイル３３に電気的に接続される。
【００１５】
再び図２Ａを参照すると、この実施例において、第三コイル３３は、薄膜層１０の第一面１１の第二側１１２に、第二接続点２１２から中心線Ａに対して第一コイル３１と対称するように配置される。換言すれば、第三コイル３３と第一コイル３１は中心線Ａに対して対称する形状とターン数を有する。前記第三コイル３３は、第二側１１２の中央下部で第三接続点２１３を介して、薄膜層１０を穿通してから薄膜層の第二面１２の第二側１２２に設置される第四コイルに電気的に接続される。
【００１６】
再び図２Ｂを参照すると、第四コイル３４は、薄膜層１０の第二面１２の第一側１２２で第三コイル３３と概ね重なりつつ最小ターン数となるよう配置される。また、第四コイル３４と第二コイル３２は、薄膜層１０の第二面１２で中心線Ａに対して対称する配置を有する。
【００１７】
上記のコイルの配置により、本考案の改良された構造を有する平面振動膜単体は、公知の単体構造におけるコーンブレークアップという現象の発生確率を低減することができる。以下、図３を参照しつつ、本考案の改良構造がコーンブレークアップという現象の発生確率を低減する原理について説明する。図３は、本考案の改良された構造を有する平面振動膜単体におけるコイルの電流方向を示す図である。図３に示すように、電流が第一接触点２０１から中心線の近傍箇所で第一コイル３１に沿って下へ流れる場合、第一コイル３１の点ｂの箇所での電流方向は図３の上へ流れる方向である。そして、電流が第一コイル３１、第二コイル３２を経由して、第三コイル３３における、中心線Ａに対して第一コイル３１の点ｂと対称する点ｂ’の箇所に流れると、電流方向は点ｂの箇所の場合と同様に図３の上へ流れる方向である。換言すれば、本考案のコイル配置により、第一コイル３１と第三コイル３３は、中心線Ａから離間する同一距離の箇所での電流方向が同一であると共に、第二コイル３２と第四コイル３４は同様に、中心線Ａから離間する同一距離の箇所での電流方向が同一である。よって、平面振動膜単体の振動方向が微視的に同一となるように維持することで、公知の単体構造におけるコーンブレークアップという現象を軽減する目的を達する上、単体の高音音質を高める。
【００１８】
また、薄膜層１０の第二面１２の第二コイル３２と第四コイル３４が最小ターン数となるように設置されると共に、第二コイル３２と第四コイル３４がそれぞれ第一面１１の第一コイル３１と第三コイル３３と重なるため、第二コイル３２と第四コイル３４の、第一コイル３１と第三コイル３３に対するノイズが最小レベルまで減少される上、コーンブレークアップという現象の発生確率を更に低減する。
【００１９】
なお、本考案の図２Ａと図２Ｂにおけるコイル配置は本考案を例示するものに過ぎず、本考案の実用新案登録請求の範囲に限定された態様を満たす何れのコイルの配置も本考案の実用新案登録請求の範囲に含まれるものである。
【００２０】
上記の実施例から分かるとおり、本考案の提供する改良された構造を有する平面振動膜単体は産業上の利用価値を有する。しかしながら、上記の内容は本考案の好ましい実施例を説明するものに過ぎず、当業者は上記の内容に基づき種々の改良を行うことができるが、これらの改良も本考案の精神並びに下記の実用新案登録請求の範囲に含まれるものである。
【符号の説明】
【００２１】
１０        薄膜層
１１        第一面
１１１      第一側
１１２      第二側
１２        第二面
１２１      第一側
１２２      第二側
２０１      第一接触点
２０２      第二接触点
２１１      第一接続点
２１２      第二接続点
２１３      第三接続点
３１        第一コイル
３２        第二コイル
３３        第三コイル
３４        第四コイル
９          単体構造
９１        振動膜
９２        コイル
９５        中心線
Ａ          中心線
ａ、ａ’、ｂ、ｂ’      点
【図１Ａ】
0003221534.tif 000003
【図１Ｂ】
0003221534.tif 000004
【図２Ａ】
0003221534.tif 000005
【図２Ｂ】
0003221534.tif 000006
【図３】
0003221534.tif 000007